(57)【特許請求の範囲】
【請求項１】
入賞した遊技球を導く導入部と、
前記導入部の下流に設けられて前記導入部を経た遊技球を受ける上部盤面を有する盤状回転体と、
前記盤状回転体の周囲に設けられた排出部と、
前記盤状回転体を回転せしめる駆動部と、からなる遊技球の振り分け装置であって、
前記盤状回転体は、前記上部盤面の中央部に設けられたＶ入賞口と、前記Ｖ入賞口に連通しかつその半径方向に伸びる複数の誘導溝と、前記誘導溝を囲みかつ遊技球導入窓を有する障壁殻部と、を有し、
前記盤状回転体は、前記上部盤面上であってかつ前記障壁殻部の２つに挟まれる位置に排出口を有することを特徴とする遊技球の振り分け装置。
【請求項２】
前記障壁殻部の形状は、前記上部盤面に平行な面内において三角形であることを特徴とする請求項１記載の遊技球の振り分け装置。
【請求項３】
遊技球が打ち出される遊技領域を有する遊技盤を備えている遊技機において、
前記遊技盤には、請求項１または２記載の遊技球の振り分け装置が設けられていることを特徴とする遊技機。
【発明の詳細な説明】
【技術分野】
【０００１】
本発明は、遊技機の遊技盤上に打ち出された遊技球の振り分け装置およびこれを用いた遊技機に関する。
【背景技術】
【０００２】
遊技機として、いわゆる役物を備えるパチンコ機が知られており、役物の一例である入賞装置に供給される遊技球を複数の経路に振り分けて振り分け先に応じて遊技の結果を異ならしめるパチンコ機があり、次のような構成を有している。
【０００３】
かかる遊技機は、所定の入賞口を通過した遊技球を振り分け装置よって複数の通路のうちいずれかに振り分けて、特定の通過口を遊技球が通過したときに、所定数の賞球を払い出したり、特定遊技を開始したり、あるいは遊技盤面に設けられた表示部の遊技画像の変動を開始したりするものである。
【０００４】
かかる振り分け装置としては、振り分けを行う機構体の形状を利用するもの、磁石を利用するもの、モータ等の電気的駆動手段を用いるもの、あるいはこれらを組み合わせたものがある。近年、遊技球の振り分け先を電気的に制御するために、電気的駆動手段が多用された振り分け装置が主に開発されている。
【０００５】
例えば、モータ等の電気的駆動手段と構造体とを組み合わせたものとして、回転体を用いた振り分け装置が知られている（特許文献１参照）。特許文献１に記載された振り分け装置は、遊技球を保持する複数の保持部を有し且つ上下移動可能な回転体と、Ｖ入賞口及び通常入賞口（すなわち、はずれ口）を有し且つ回転体を囲繞するように配置された入賞部と、を有している。該回転体を設けることにより遊技球を回転体で振り分け、さらに入賞部でも振り分けることが出来る。
【特許文献１】特開２００４−２３６８３８号公報
【発明の開示】
【発明が解決しようとする課題】
【０００６】
特許文献１に記載された振り分け装置では、回転体に導かれた遊技球をいずれかの保持部に振り分け、さらに回転体が入賞部の高さまで下降すると遊技球が入賞部のＶ入賞口若しくは通常入賞口のいずれかに入賞する。その結果、かかる振り分け装置が備えられたパチンコ機を操作する遊技者は、遊技球が回転体に導入される時点で、回転体における遊技球の位置に応じて最終的な振り分け先を予測することが可能となる。
【０００７】
従って、回転体における遊技球の位置が遊技者にとって不利な結果を提供することを遊技者に予想させると、振り分けによる最終結果が得られる前の早期段階で遊技球の振り分けに対する遊技者の関心が失われてしまう。結果的に、遊技に対する興趣が低下していた。
【０００８】
また、特許文献１に記載された振り分け装置では、回転体を上下に移動せしめる機構及び回転体を囲繞する入賞部を備えることから、その構造は複雑となりコストが高くなってしまう問題点がある。
【０００９】
本発明は、以上の如き事情に鑑みてなされたものであり、その構造が複雑になることがなく、遊技球がＶ入賞するまでかかる結果を予想することが困難となるようにして、遊技者の遊技中の興趣を維持し且つ高揚せしめる遊技機の振り分け装置および遊技機を提供することを目的としている。
【課題を解決するための手段】
【００１０】
上述した課題を解決するために、入賞した遊技球を導く導入部と、前記導入部の下流に設けられて前記導入部を経た遊技球を受ける上部盤面を有する盤状回転体と、前記盤状回転体の周囲に設けられた排出部と、前記盤状回転体を回転せしめる駆動部と、からなる振り分け装置であって、前記盤状回転体は、前記上部盤面の中央部に設けられたＶ入賞口と、前記Ｖ入賞口に連通しかつその半径方向に伸びる複数の誘導溝と、前記誘導溝を囲みかつ遊技球導入窓を有する障壁殻部と、を有する遊技球の振り分け装置が提供される。
【００１１】
また、前記障壁殻部の形状は、例えば、対応する誘導溝毎に互いに異なっている。さらに、前記障壁殻部の形状は、例えば、前記上部盤面に平行な面内において三角形である。
【００１２】
また、前記駆動部は、例えば、前記盤状回転体を異なる方向に回転せしめる。さらに、前記駆動部は、例えば、前記盤状回転体を異なる速度にて回転せしめる。
【００１３】
また、前記盤状回転体は、例えば、前記上部盤面上であってかつ前記障壁殻部の２つに挟まれる位置に排出口を有する。
【発明の効果】
【００１４】
本発明による遊技機の振り分け装置によれば、振り分け装置の構造が複雑になることなく且つ遊技球がＶ入賞するまでＶ入賞するか否かの結果を予想することを困難にすることが出来る。これにより、低コストの振り分け装置であっても遊技者の遊技中の興趣を維持しかつ高揚せしめるのである。
【発明を実施するための形態】
【００１５】
以下、本発明の実施例としての役物を含むパチンコ機について、添付図面を参照しつつ詳細に説明する。
【実施例】
【００１６】
図１に示されているように、パチンコ機１０は、本体基部となる本体枠１１と、本体枠１１の内部に配置された遊技盤１２と、遊技盤１２の前方に設けられていて本体枠１１に対して開閉自在な前面枠１３と、を有する。遊技盤１２は、その盤面上にガイドレール１４で囲まれた遊技領域１２aを備えており、かかる遊技領域１２aに向けて遊技球が打ち出される。
【００１７】
前面枠１３の下方には、下扉枠１５が設けられている。下扉枠１５には、遊技者が保有する遊技球を収容する受け皿１５ａが設けられ且つ遊技球の発射の制御及び発射強度を制御するためのハンドル１６が設けられている。ハンドル１６は、パチンコ機１０の右側部に配置されておりかつ遊技者が握りやすいように下扉枠１５の表面高さから突出している。ハンドル１６には、人体が触れることに応答して接触信号を生成する接触検知センサ（図示せず）が設けられている。当該接触検知センサから出力される接触信号は、パチンコ機１０の背面側に設けられた制御装置（図示せず）に入力される。
【００１８】
また、ハンドル１６には、所定の角度範囲内で回動自在な打出調整部１７が設けられている。打出調整部１７は、パチンコ機１０の背面側に設けられた遊技球の発射装置（図示せず）を駆動せしめる操作スイッチになっており、打出調整部１７を基準位置から時計回り方向に回動せしめることによって該発射装置が作動するようになっている。打出調整部１７は、バネ等の弾性体により反時計回り方向への付勢力が付与されており、待機状態においては基準位置に位置している。基準位置とは打ち出し調整部１７の回動量がゼロである位置のことであり、かかる基準位置に打出調整部１７が位置している場合には、遊技球は遊技盤１２の遊技領域１２ａに打ち出されないようになっている。
【００１９】
遊技盤１２には、遊技球の流下方向を変化せしめる多数の遊技釘（図示せず）が植設され、更には、風車等の役物（図示せず）が設けられている。また、遊技盤１２の最下部には入賞しなかった遊技球を回収するアウト口（図示せず）が設けられている。
【００２０】
また、遊技盤１２のほぼ中央には、センター役物が設けられており、例えばセンター役物は、いわゆる特別電動役物等の入賞領域を有する入賞装置１８である。入賞装置１８は、当該機構内への遊技球の通過の許否を振り分ける1対の羽根１９ａ、１９ｂ（以下、いずれかを特定しない場合には羽根１９と称する）、羽根１９から入賞装置１８内に入賞した遊技球を振り分ける振り分け装置２０を有している。振り分け装置２０は、入賞した遊技球を後述する盤状回転体に導くための導入部２１、導入部２１から導かれた遊技球を振り分ける盤状回転体２２及び盤状回転体２２を駆動せしめる駆動部２３を含んでいる。例えば、盤状回転体２２は、円盤形状であっても良い。例えば、導入部２１は、羽根１９から入賞装置１８の略中央に向けて下り傾斜となり且つ略中央にて遊技球が通過できる間隔を備えて離間している２本の導入路２１ａ、２１ｂと、入賞装置１８の略中央から入賞装置１８の両端に向かって下り傾斜となる導入路２１ｃと、導入路２１ｃから導入された遊技球を盤状回転体２２に導入せしめる導入路２１ｄ、２１ｅとから構成されている。上述したような導入部２１の構成によって、羽根１９から入賞装置１８内に入賞した遊技球が、導入路２１ａ、２１ｂから導入路２１ｃに向けて落下して、導入路２１ｃの中央部分にて左右に振り分けられる故、盤状回転体２２の両側方のいずれか一方から導入することが出来る。なお、羽根１９から直接的に盤状回転体２２に遊技球を導入する導入路を設けても良い。
【００２１】
羽根１９は、遊技盤１２に設けられた始動口すなわちチャッカー２４ａ、２４ｂ、２４ｃを通過することを契機として開閉することとしても良い。例えば、各チャッカーには、通過検知センサ（図示せず）が備えられ、遊技球の球検知信号を後述する制御装置に送信することを可能とし、制御装置は、メインチャッカー２４ａの球検知信号を受信した場合には羽根１９を２回開き、サブチャッカー２４ｂ、２４ｃの球検知信号を受信した場合には羽根１９を1回開くこととしても良い。羽根１９が開状態にあるときに、遊技球を入賞装置１８内に導くことが可能になる。
【００２２】
次に、図２及び図３を参照しつつ振り分け装置２０の１例について詳細に説明する。図２は振り分け装置２０の正面図を示し、図３は振り分け装置２０の部分的な（導入部２１及び排出部を除いた部分）斜視図を示している。
【００２３】
図２及び図３に示されているように、盤状回転体２２の周囲には、盤状回転体２２を囲む排出部２５が設けられている。例えば、排出部２５は、入賞装置１８から遊技球を排出するための入賞球排出口（図示せず）に入賞球を導くための排出用の通路若しくは溝等であっても良い。盤状回転体２２の両側方部分には、羽根１９から入賞した遊技球を排出部２５上を通過させて盤状回転体２２に導入せしめる導入路２１ｄ、２１eが設けられている。例えば、導入路２１ｄ、２１ｅは、自身を通過する遊技球が盤状回転体２２の中心方向に向かうように、盤状回転体２２の中心に向かって設けられていても良い。
【００２４】
盤状回転体２２の上部盤面２２ａの中央部には、Ｖ入賞口２６が設けられている。また、上部盤面２２ａには、Ｖ入賞口２６を覆い、所定の通路（後述する遊技球導入窓及び誘導溝）以外からの遊技球の進入を防ぐための障壁殻部２７が設けられている。障壁殻部２７は、Ｖ入賞口２６を中心として所定の半径（後述する誘導溝囲む大きさ）の円形状の円状障壁部２８及び円状障壁部２８の外周部分から排出部２５に向かって伸び、その形状が上部盤面２２ａに平行な面内において三角形の形状を備える三角形状障壁部２９ａから２９ｈ（以下、いずれかを特定しない場合には三角形状障壁部２９と称する）から構成されている。三角形状障壁部２９の各々には、遊技球が通過可能な遊技球導入窓３０が設けられている。遊技球導入窓３０の数量及び幅は、三角形状障壁部２９毎に異なっている。遊技球導入窓３０を設けることによって、遊技球を障壁殻部２７の内部に導くことが出来る。なお、障壁殻部２７、円状障壁部２８及び遊技球導入窓３０については、後ほど詳細に説明する。
【００２５】
また、盤状回転体２２の下部盤面（底面）には、駆動部２３が接続されている。駆動部２３は、例えば、駆動モータ２３ａ及び駆動ロッド２３ｂから構成されていても良い。また、駆動部２３は、後述する制御装置からの駆動信号に応じて盤状回転体２２を右又は左方向（矢印３ａの方向）に回転せしめる。かかる回転方向の変化については後ほど詳細に説明する。さらに、駆動部２３は、制御装置からの駆動信号に応じて回転速度を変化させても良い。例えば、回転速度を上げることによって、上部盤面２２ａ上に滞留する遊技球を遠心力によって排出部２５に排出することが出来る。
【００２６】
次に、図３及び図４を参照しつつ、障壁殻部２７について詳細に説明する。図４は、図３に示された障壁殻部２７を三角形状障壁部２９ｃから２９ｇを結ぶ線分（図示せず）を軸として回転した場合の裏面の斜視図を示している。
【００２７】
図３及び図４に示されているように、障壁殻部２７は、円状障壁部２８及び複数の三角形状障壁部２９から構成されている。円状障壁部２８は、円盤状の上面板４１及び上面板４１の円周を囲み且つ離間して固着された側壁板４２ａから４２ｈ（以下、いずれかを特定しない場合には側壁板４２と称する）から構成されている。側壁板４２同士の間隔は、遊技球が側壁板４２の間を通過可能とするために、遊技球の直径よりも大きい。三角形状障壁部２９は、三角形の上面板４３ａから４３ｈ（以下、いずれかを特定しない場合には上面板４３と称する）及び上面板４３の一辺に設けられた側壁板４４ａから４４ｈ（以下、いずれかを特定しない場合には側壁板４４と称する）及び他辺に設けられた側壁板４５ａから４５ｈ（以下、いずれかを特定しない場合には側壁板４５と称する）から構成されている。例えば、三角形状側壁部２９ａは、上面板４３ａ及び上面板４３ａの二つの長辺部分に固着された側壁板４４ａ及び側壁板４５ａから構成されている。円状障壁部２８の側壁板４２の間隔と、三角形状障壁部２９の側壁板４４、４５が設けられていない一辺と、の幅は等しく、円状障壁部２８の側壁板４２が設けられていない部分と、三角形状障壁部２９の側壁板４４、４５が設けられていない一辺と、が固着されている。
【００２８】
なお、障壁殻部２７は、上述した構造に限られることはなく、上述した誘導溝の形状に合わせて、誘導溝を囲むことができる構造とする。例えば、誘導溝の形状によっては、三角形状障壁部２９は、互いに異なる形状となる。また、上面板及び側壁板を透明部材にすることによって、遊技球がＶ入賞口に向かっていることが確認できるようにしても良い。
【００２９】
側壁板４４、４５の各々には、遊技球が通過することが出来る幅の遊技球導入窓３０が設けられている。遊技球導入窓３０の幅はそれぞれ異なり、例えば、遊技球の直径の約１．１倍から約３倍の複数種類の幅としても良い。また、側壁板４４、４５の各々に複数の遊技球導入窓３０を設けても良い。例えば、側壁板４４ａ、４４ｃ、４４gには２つの遊技球導入窓３０が設けられている。さらに、側壁板４４、４５に遊技球導入窓３０を設けずに、遊技球の障壁殻部２７内への侵入を阻止しても良い。例えば、側壁板４４ｄ、４５ｂ、４５ｆは、遊技球導入窓３０が設けられていない側壁板である。上述したように、複数種類の窓幅若しくは複数の遊技球導入窓３０を設けることによって、三角形状障壁部２９毎にＶ入賞の確率を変動させることが出来る。
【００３０】
また、側壁板４４側から障壁殻部２７内への遊技球の進入を容易にし、これに対し側壁板４５側からの遊技球の進入を困難とすることによって、盤状回転体２２の回転方向によって、遊技球のＶ入賞確率を変動させても良い。例えば、側壁板４４に幅の大きい遊技球導入窓３０を数多く設け、側壁板４５に遊技球導入窓３０を設けないこととしても良い。さらに、上面板４１等にＬＥＤ等を取り付けておくことによって、上述したＶ入賞しやすい回転方向に盤状回転体２２が回転する場合には、ＬＥＤを点灯させても良い。かかるＬＥＤの点灯によって、例えば、障壁殻部２７に太陽が燃えているイメージを抱かせて、より高い高揚感を与えることが出来る。
【００３１】
次に、図５及び図６を参照しつつ、盤状回転体２２の上部盤面２２ａ上に設けられた誘導溝及び誘導溝と障壁殻部との位置関係について詳細に説明する。図５は、盤状回転体２２の正面図を示し、図６は、盤状回転体２２の断面図を示している。
【００３２】
図５に示されているように、上部盤面２２ａには、障壁殻部２７の形状と同一の誘導溝５１が設けられている。誘導溝５１は、Ｖ入賞口２６の周りに円状障壁部２８とほぼ同じ半径の円状の円状溝５２及び円状溝５２から盤状回転体２２の外周に向かって伸び、その形状が上面板４３とほぼ同じ大きさの三角形である三角形状溝５３ａから５３ｈ（以下、いずれかを特定しない場合には三角形状溝５３と称する）から構成されている。従って、障壁殻部２７は、誘導溝５１を囲むように上部盤面２２ａに固着されている。また、上述した誘導溝５１の形状によって、誘導溝５１は、上部盤面２２ａの中央部に設けられたＶ入賞口２６と連通することとなる。
【００３３】
また、誘導溝５１の形状は上述した形状に限られることはなく、例えば、三角形状溝５３の形状が各々異なっても良い。また、三角形状溝に変えて四角形若しくは半円等の溝を用いることとしても良い。さらに、円状溝５２も設けることなく、三角形状溝５３のみから構成されても良い。なお、異なる形状の誘導溝５１を用いた場合において、障壁殻部２７は、上述した形状（すなわち図３及び図４に示されている形状）とは異なり、誘導溝５１を囲む形状となる。
【００３４】
図６（ａ）に示されているように、三角形状溝５３は、溝の中央部に向かって下り傾斜となっており、遊技球導入窓３０を通過した遊技球をＶ入賞口２６に容易に導くことが出来る。また、上述した構造の溝を用いることによって、遊技球導入窓３０を通過して障壁殻部２７内に進入した遊技球が、異なる遊技球導入窓３０を通過して再び障壁殻部２７外に進むことなく、Ｖ入賞口２６に導くことが出来る。例えば、側壁板４４eの遊技球導入窓３０を通過した遊技球は、再び側壁板４５ｅの遊技球導入窓３０を通過すること、Ｖ入賞口２６に導かれることとなる。
【００３５】
図６（ｂ）に示されているように、円状溝５２及び三角形状溝５３は、Ｖ入賞口２６に向かって下り傾斜になっていることから、誘導溝５１に到達した遊技球を滞留させることなく、Ｖ入賞口２６に導くことが出来る。すなわち、遊技球導入窓３０から誘導溝５１に到達した全ての遊技球は、Ｖ入賞口２６に導かれることとなる。
【００３６】
また、盤状回転体２２には、Ｖ入賞口２６からＶ入賞した遊技球を盤状回転体２２の外部に排出するためのＶ入賞通路６１が設けられている。Ｖ入賞通路６１の側面部分には、遊技球が通過したか否か（すなわちＶ入賞したか否か）を検知するＶ入賞球検知センサ６２が設けられている。なお、Ｖ入賞通路６１は、排出部２５に接続されていても良く、Ｖ入賞通路６１及び排出部２５を介してＶ入賞球を入賞装置１８の外部に排出しても良い。
【００３７】
次に、入賞装置１８内に入賞した遊技球のＶ入賞口２６又は排出口２５に至るまでの経路について図２及び図３を参照しつつ詳細に説明する。
【００３８】
図２の破線矢印２ａによって示されているように、遊技球１００は、導入路２１ｄ、２１ｅを経て盤状回転体２２の中心に向けて導入される。また、遊技球が導入されるタイミングによっては、遊技球は、三角形状障壁２９の側壁板４４、４５の接する部分（すなわち三角形の頂点部分）に衝突することもある。かかる場合においては、導入された遊技球は、排出部２５に向かって排出されることとなる。
【００３９】
図３の破線矢印３ｂによって示されているように、盤状回転体２２に導入された遊技球１００は、盤状回転体２２の回転若しくは遊技球の導入進路によって遊技球導入窓３０から障壁殻部２７内に進入することとなる。また、破線矢印３ｃによって示されているように、側壁板４５に衝突して盤状回転体２２から排出部２５に向かってはじき出されることもある。さらに、障壁殻部２７内に進入することのなく側壁板４２、４４、４５と衝突を繰り返して上部盤面２２ａ上に滞留した遊技球は、駆動部２３の回転速度を上げることによって、盤状回転体２２から排出部２５に排出されることもある。
【００４０】
従って、盤状回転体２２に導入される遊技球は、盤状回転体２２に対する導入位置及びタイミング（すなわち、通過しやすい遊技球導入窓３０が設けられた側壁板４４、４５に向けての導入）並びに盤状回転体２２の回転方向によって、Ｖ入賞確率が変動することとなる。すなわち、三角形状障壁部２７に設けられている遊技球導入窓３０の位置、数量及び幅等を変更することによって、容易にＶ入賞確率を任意に設定することが出来る。
【００４１】
また、上部盤面２２ａ上に入賞した遊技球が滞留することを防止するために、盤状回転体２２の上部盤面２２ａ上に排出口を設けても良い。例えば、図７に示されているように、三角形状障壁部２９の２つに挟まれる位置であって円状側壁部２８の周囲に排出口７１を設けても良い。なお、上述した位置に排出口７１を設ける場合には、盤状回転体２２の上部盤面２２ａが中心に向かって下り傾斜となることが必要となる。かかる上部盤面２２ａの傾斜によって遊技球は中央部に導かれることとなるからである。
【００４２】
次に、本実施例のパチンコ機１０の制御装置８０の動作について図８を参照しつつ説明する。図８に示されているように、制御装置８０は、マイクロコンピュータ等からなり遊技機の遊技動作の制御を行う。
【００４３】
制御装置８０は、ハンドル１６に設けられた接触検知センサ８１からの接触検知信号及びハンドル１６の操作状況の信号を受信する。制御装置８０は、接触検知センサ８１及びハンドル１６からの信号に基づいて発射装置８２を駆動させる。
【００４４】
制御装置８０は、各チャッカーに設けられた通過検知センサ８３ａ〜８３ｃから通過検知信号を受信すると、羽根１９を複数回にわたって開閉させるために羽根開閉機構８４を制御する。
【００４５】
制御装置８０は、入賞装置１８内に設けられた入賞球検知センサ８５から入賞球検知信号を受信する。例えば、入賞球検知センサ８５から入賞球検知信号を受信した場合には、制御装置８０は、盤状回転体２２を右若しくは左周りに回転せしめるべく、駆動信号を駆動モータ２３ａに送信する。
【００４６】
制御装置８０は、Ｖ入賞球検知センサ６２からＶ入賞球検知信号を受信する。制御装置８０がＶ入賞球検知信号を受信し大当たりと判定した場合には、制御装置８０は、各チャッカーを遊技球が通過したときと同様に、羽根１９を複数回にわたって開閉させるために羽根開閉機構８４を制御する。また、制御装置８０は、排出部２５に設けられた入賞球通過センサ８６から入賞球通過信号を受信する。制御装置８０は、かかる入賞球通過信号を受信すると、賞球払出装置８７から賞球を払い出す制御を行う。
【００４７】
また、制御装置８０は、遊技状態の変化（例えば、大当たり状態への移行等）に伴ってランプ等の電飾装置８８等を制御する。
【００４８】
次に、図９のフローチャートを参照して、遊技者が遊技球を遊技領域１２ａに打ち出した場合のパチンコ機１０の動作を説明する。
【００４９】
遊技者は入賞装置１８の羽根１９を開けるためにチャッカー２４を狙う（ステップＳ１）。遊技球がチャッカー２４のいずれかに入ると（ステップＳ２：ＹＥＳ）、羽根１９が一定時間だけ開く（ステップＳ３）。羽根１９が開いている間に遊技者は遊技球を羽根１９に向けて打ち出すと、１つあるいは複数の遊技球が入賞装置１８の中に入る（ステップＳ４）。なお、羽根１９は遊技球が入賞装置１８に導入されたか否かに係らず所定時間後に閉じる。
【００５０】
入賞装置１８の中に遊技球が入ると、入賞球検知センサ８５は遊技球の入賞を検知して、制御装置８０に入賞球検知信号が送信される（ステップＳ５）。制御装置８０は、入賞球検知信号を受信すると、盤状回転体２２の回転方向を抽選して、抽選結果である回転方向を表す駆動信号を駆動モータ２３ａに送信する（ステップＳ６）。駆動モータ２３ａは、駆動信号に基づいて盤状回転体２２を所定方向に回転せしめる（ステップＳ７）。なお、盤状回転体２２は、入賞装置１８内の遊技球の有無に関わらず、常に回転していても良い。
【００５１】
入賞装置１８の中に入った遊技球は、導入部２１を経て盤状回転体２２まで導かれる（ステップＳ８）。遊技球導入窓３０を通過して障壁殻部２７内に入ると（ステップＳ９：ＹＥＳ）、遊技球は誘導溝５１を経てＶ入賞口２６まで導かれ、遊技球がＶ入賞口２６を通過するとＶ入賞球検知センサ６２からＶ入賞信号が制御装置８０に送信される（ステップＳ１０）。制御装置８０は、Ｖ入賞信号を受信することで大当たりと判定し（ステップＳ１１）、所定数の遊技球の払出し若しくは羽根１９を複数回開く。
【００５２】
遊技球が遊技球導入窓３０を通過しない場合（ステップＳ９：ＮＯ）において、制御装置８０が排出部２５に設けられた入賞球通過センサ８６から入賞球通過検知信号を受信すると（ステップＳ１２：ＹＥＳ）、遊技球がＶ入賞口２６に到達しないことからはずれと判定する（ステップＳ１３）。その後、再び遊技球をＶ入賞させるべくステップＳ１に戻り、同様の動作を行なう。
【００５３】
入賞球通過検知信号を一定時間経過しても受信しない場合（ステップＳ１２：ＮＯ）には、遊技球が盤状回転体２２の上部盤面２２ａ上に滞留していると判断して、盤状回転体２２の回転スピードを上げる（ステップＳ１４）。その後、遊技球が遠心力によって再び動くこととなり、ステップＳ９からの判定を繰り返す。なお、遠心力によって再び動きだす遊技球のほとんどが、排出部２５に排出されることとなる。
【００５４】
以上のように、本発明の実施例の遊技機の振り分け装置は、盤状回転体の上部盤面上に誘導溝と、誘導溝を囲みかつ遊技球導入窓を有する障壁殻部を備える故、複雑にならず且つ遊技球がＶ入賞するまでＶ入賞するか否かの結果を予想することを困難にすることが出来る。これにより、低コストの振り分け装置であっても遊技者の遊技中の興趣を維持し且つ高揚せしめることが可能となる。
【図面の簡単な説明】
【００５５】
【図１】本発明の実施例を含む遊技機の外観正面図である。
【図２】本発明の実施例である振り分け装置の正面図である。
【図３】本発明の実施例の一部である盤状回転体、障壁殻部及び駆動部の斜視図である。
【図４】本発明の実施例の一部である障壁殻部の裏面の斜視図である。
【図５】本発明の実施例の一部である盤状回転体の正面図である。
【図６】（ａ）は盤状回転体における図５の６ａ−６ａ一点鎖線に沿った断面を示す断面図、（ｂ）は盤状回転体における図５の６ｂ−６ｂ一点鎖線に沿った断面を示す断面図である。
【図７】本発明の実施例の変形例である振り分け装置の正面図である。
【図８】本発明の実施例による遊技機の制御装置のブロック図である。
【図９】図１のパチンコ機の動作を示すフローチャートである。
【符号の説明】
【００５６】
１０  パチンコ機（遊技機）
１２  遊技盤
１８  入賞装置
２０  振り分け装置
２１  導入部
２２  盤状回転体
２３  駆動部
２６  Ｖ入賞口
２７  障壁殻部
３０  遊技球導入窓
４８  可導体
５１  誘導溝
【図１】
0004679552.tif 000002
【図２】
0004679552.tif 000003
【図３】
0004679552.tif 000004
【図４】
0004679552.tif 000005
【図５】
0004679552.tif 000006
【図６】
0004679552.tif 000007
【図７】
0004679552.tif 000008
【図８】
0004679552.tif 000009
【図９】
0004679552.tif 000010